(57)【要約】表示機器（１０）は、少なくとも一つのスピーカ（１６）と、複数の設置ボス（５０）に対するエンクロージャ（１２）内に固定される、陰極線管（ＣＲＴ）（１４）を備えてなる。陰極線管（１４）は、４つの角と、周囲の側壁（２８）まで延在する、見る部分（２６）を備える、実質的に長方形状の表面板パネル（１８）を備える空包（１２）を有する。見る部分（２６）は、その内部表面に発光ラインスクリーン（３２）を有する。見る部分（２６）は、２つの直交軸と、見る部分の長い寸法に対して平行な主軸Ｘと、見る部分の短い寸法に対して平行な短軸Ｙを有する。ＣＲＴ（１４）は、主軸と短軸に垂直なＣＲＴの中心の縦のＺ軸に沿って整列する、少なくとも一つの電子ビーム（４０）を生じる、電子銃（３８）を有する。ＣＲＴ（１４）はまた、表面板パネル（１８）の見る部分（２６）の内部表面に近隣する、カラー選択電極（３６）を有する。内破保護バンド（４４）は、表面板パネル（１８）の側壁（２８）のまわりに延在する。各々が基部（１４８、２４８、３４８）を有する、少なくとも４つの設置ラグ（１４６、２４６、３４６）と、設置アパーチャ（１５２、２５１乃至２５２、３５２）を備える取り付け部分（１５０、２４９乃至２５０、３５０）は、エンクロージャ（１２）内にＣＲＴ（１４）を固定することを容易にするために内破保護バンド（４４）と協働する。各設置ラグ（１４６、２４６、３４６）の取り付け部分（１５０、２４９乃至２５０、３５０）は、ＣＲＴ（１４）の中央の縦軸Ｚに沿って整列し、取り付け部分（１５０、２４９乃至２５０、３５０）を強化し、スピーカ（１６）によって誘発されるマイクロホニックスを減少するために２つの直交軸の少なくとも一つに対して平行である。
2004519073.tif 000002
【特許請求の範囲】
【請求項１】
少なくとも一つのスピーカ（１６）を有するエンクロージャ（１２）内に固定される陰極線管（１４）を備えてなる表示機器（１０）であって、前記陰極線管は、４つの角を有し、周辺の側壁（２８）に延在する見る部分（２６）を含む、実質的に長方形状の表面板パネル（１８）を備える空包（１７）を有し、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って少なくとも一つの電子ビーム（４０）を生じる電子銃（３８）を有し、前記陰極線管は前記見る部分の前記内部表面に近隣する、カラー選択電極（３６）を有し、内破保護バンド（４４）は、前記表面板パネルの前記側壁と基部（１４８、２４８、３４８）と取り付け部分を通過して設置アパーチャ（１５２、２５１乃至２５２、３５２）を備える前記取り付け部分（１５０、２４９乃至２５０、３５０）を各々有する複数の設置ラグ（１４６、２４６、３４６）の周囲に延在し、前記設置ラグは前記エンクロージャ内の前記陰極線管を固定するために前記内破保護バンドと協働し、各々の前記設置ラグの前記取り付け部分は、前記取り付け部分の厚さよりも広い幅を有し、前記取り付け部分は少なくとも一つの前記主軸及び短軸に平行であり、前記取り付け部分の前記幅は、前記取り付けを強化し、前記スピーカによって誘発されるマイクロホニックスを減少するために前記中心の縦軸に沿って整列していることを特徴とする、表示機器（１０）。
【請求項２】
複数の設置ボス（５０）に対するエンクロージャ（１２）内に固定される陰極線管（１４）を備えてなる表示機器（１０）であって、前記エンクロージャは少なくとも一つのスピーカ（１６）をさらに含み、前記陰極線管は、４つの角を有し、周辺の側壁（２８）に延在する見る部分（２６）を含む、実質的に長方形状の表面板パネル（１８）を備える空包（１７）を有し、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って３つの電子ビーム（４０）を生じる電子銃（３８）を有し、前記陰極線管は前記見る部分の前記内部表面に近隣する、テンションマスク（３６）を有し、内破保護バンド（４４）は、前記表面板パネルの前記側壁と基部（１４８、２４８、３４８）と取り付け部分を通過して設置アパーチャ（１５２、２５１乃至２５２、３５２）を備える前記取り付け部分（１５０、２４９乃至２５０、３５０）を各々有する複数の設置ラグ（１４６、２４６、３４６）の周囲に延在し、前記設置ラグは前記エンクロージャ内の前記陰極線管を固定するために前記内破保護バンドと協働し、各々の前記設置ラグの前記取り付け部分は、前記取り付け部分の厚さよりも広い幅を有し、前記取り付け部分は少なくとも一つの前記主軸及び短軸に平行であり、前記取り付け部分の前記幅は、前記取り付けを強化し、前記スピーカによって誘発されるマイクロホニックスを減少するために前記中心の縦軸に沿って整列していることを特徴とする、表示機器（１０）。
【請求項３】
前記設置ラグの前記取り付け部分は、前記ボスに固定され、前記短軸に対して平行であることを特徴とする、請求項２に記載の表示装置。
【請求項４】
前記設置ラグの前記取り付け部分は、前記ボスに固定され、前記短軸に対して平行であることを特徴とする、請求項２に記載の表示装置。
【請求項５】
前記設置ラグの前記取り付け部分は、前記ボスに固定され、右手形態で配位されることを特徴とする、請求項２に記載の表示装置。
【請求項６】
前記設置ラグの前記取り付け部分は、前記ボスに固定され、左手形態で配位されることを特徴とする、請求項２に記載の表示装置。
【請求項７】
前記設置ラグの各々は、前記主軸に対して平行に整列されている１つの取り付け部分と、前記短軸に平行に整列されているもう１つの取り付け部分の２つの取り付け部分を有し、前記各取り付け部分は前記ボスに固定されていることを特徴とする、請求項２に記載の表示装置。
【請求項８】
設置アダプタ（３６０）は、前記設置ラグの各々の前記取り付け部分と前記ボスとの間に取り付けられることを特徴とする、請求項３に記載の表示装置。
【請求項９】
設置アダプタ（３６０）は、前記設置ラグの各々の前記取り付け部分と前記ボスとの間に取り付けられることを特徴とする、請求項３に記載の表示装置。
【発明の詳細な説明】
【０００１】
本発明は、一般的に、少なくとも一つのスピーカを有するキャビネットなどのエンクロージャ内でカラーテレビ受像管などの表示機器を支援するための構造に関しており、より詳細には、カラーテレビ受像管に多大な支援を提供し、スピーカの音声振動によって引き起こされる管内のある構成部分に対するマイクロホニックスの減少を提供する、設置ラグに関する。
【０００２】
発明の背景
カラーテレビ受像管などの陰極線管（ＣＲＴ）は、非常に低圧で排気され、したがって、管のすべての表面に作用する大気圧によって生じるストレスにより内破の可能性を受ける。この問題は、チューブの表面板を限定し、圧縮力をそこに適用する、内破保護バンドを備えるＣＲＴを供給することによって、技術で処理される。内破保護バンドに統合しているか、又は付着している設置ラグは、キャビネット内の管を支援するために使用される。一般的に、設置ラグは管の角に位置し、表面板の側壁に対して垂直に位置して、表面板の対角線に沿って整列された、取り付け表面を有する。キャビネットの設置ボスに管を付加するために、ボルト、ネジ又は同等のハードウェアは、ラグの設置表面の穴を通過して延在する。これは、縦方向又は管のＺ軸に沿って、効果的に管をキャビネットに接合する。フロント設置型スピーカを有するキャビネットにおいて、スピーカの音声振動は、管とその内部の構成部分、特にカラー選択電極に対してＺ軸方向に最大振動を誘発する。加えて、表示機器の移動中に、例えば、機器が落下した場合、間違った取り扱いは時々生じる。落下が“ネックダウン”の配位におけるＣＲＴで発生する場合、設置ラグは、エンクロージャと管の斜面間のギャップで結果として曲がってよい。伝導性物質がかかるギャップ内に不注意に挿入される場合、高電圧を操作する管の部分との電気的な接触が発生しうる可能性がある。
【０００３】
発明の概要
表示機器は少なくとも一つのスピーカと、複数の設置ボスに対するエンクロージャ内に固定された、陰極線管（ＣＲＴ）を備えてなる。陰極線管は、４つの角を有し、実質上、長方形状の表面板パネルと、周囲の側面壁まで延在する、見る部分を備える、空包を有する。見る部分は、それの内部表面で発光ラインスクリーンを有する。見る部分は、２つの直交軸と、見る部分の長い寸法に対して平行な主軸と、見る部分の短い寸法に対して平行な短軸を含んでいる。ＣＲＴは、少なくとも一つの電子ビームの発生が可能であり、主軸と短軸に垂直なＣＲＴの中央の縦軸に沿って整列される、電子銃を有する。ＣＲＴはまた、表面板の見る部分の内部表面に近接するカラー選択電極を有する。内破保護バンドは、表面板パネルの側壁のまわりに延在する。各々が基部と設置ラグを通過する設置アパーチャを備える取り付け部分を有する、少なくとも４つの設置ラグは、エンクロージャ内でＣＲＴの固定を容易にするために内破保護バンドと協働する。各設置ラグの取り付け部分は、取り付け部分を強化し、スピーカによって誘発されるマイクロホニックスを減少するために、管の中心の縦軸に沿って整列され、２つの直交軸の少なくとも一つに対して平行である。
【０００４】
好ましい実施態様の詳細な記載
図１は、カラーＣＲＴ１４と少なくとも一つの音声スピーカ１６を有するエンクロージャ１２を備えてなる、カラーテレビ受信機１０などの表示機器を示す。図２で示されるように、カラーＣＲＴ１４は、実質的に長方形の表面板パネル１８と、長方形のフューネル２２によって接続される環状のネック２０を有する、空のガラス包１７を備えてなる。フューネル２２は、ネック２０の陽極ボタンに接触してネック２０の陽極ボタンから延在する、内部の伝導性コーティング（示されていない）を有し、さらに表面板パネル１８に向かって延在する。表面板パネル１８は、見る部分２６と、ガラスフリット３０によってフューネル２２に密封される、周辺の側壁２８を有する。表面板パネル１８の見る部分２６は、見る部分の長い寸法に平行な主軸Ｘと、主軸に直交し、表面板パネルの見る部分の短い寸法に平行な短軸Ｙを含む。さらにＣＲＴ１４は、主軸Ｘと短軸Ｙにそれぞれ相互に直交する、中央の縦軸Ｚを含む。３色発光の発光体スクリーン３２は、見る部分２６の内面に保持される。スクリーン３２は、各三構造が各３色の発光体ラインを含む、三構造で配置される、赤色を放射し、緑色を放射し、青色を放射する発光体ラインＲ、Ｇから構成される多重のスクリーン素子を含んでいる、ラインスクリーンである。好ましくはアルミニウムの薄い伝導性層３４はスクリーン３２上に重なり、そこに電位を適用するための手段を提供する。テンションマスク３６などのマルチアパーチャ型（ｍｕｌｔｉ−ａｐｅｒｔｕｒｅｄ）カラー選択電極は、スクリーン３２に関する所定間隔で表面板パネル１８内に従来の手段によって取り外し式に設置される。図２の点線で概略して示される、電子銃３８は、スクリーン３２に対してテンションマスク３６を通過する集束径路に沿って３つのインライン電子ビーム４０を生成し導くようにネック２０内に中心で設置される。ビーム４０のインライン方向は、紙の平面に対して垂直である。
【０００５】
図２のＣＲＴは、フューネルとネックの接合部の近隣に示される、外部の磁気偏向ヨーク４２で使用される。活性化した場合、ヨーク４２は、３つのビーム４０をスクリーン３２上でビームの水平及び垂直ラスター走査を引き起こす、磁場にさらす。
【０００６】
内破保護バンド４４は、側壁２８の少なくとも一部分を取り囲む。バンド４４は、図３に示されるようにバンドの角に位置する、少なくとも４つの従来の設置ラグ４６を有する。各設置ラグ４６は、ＣＲＴ１４の縦軸Ｚに沿って整列されて、設置ラグを通過する設置アパーチャ４８を含む。エンクロージャ１２の角に形成されたボス５０のＺ軸に沿って整列した、示されていない固定装置にＣＲＴ１４を付加するために、示されていない、ネジ又はボルトは各アパーチャ４８を通過して延在する。テンションマスク３６は、図２に示されるフレーム５６に取り付けされた２つの長い側５２、５４と、２つの短い側５８、６０を含む。マスクの長い側５２、５４はＣＲＴの主軸Ｘに平行であり、２つの短い側５８、６０はＣＲＴの短軸Ｙに平行である。図４を参照するに、テンションマスク３６は、ＣＲＴの短軸Ｙに平行である、実質的に等間隔スロット６４によって分離される、複数の拡張された金属ストランド６２と、示されていないが、従来から周知のようなスクリーン３２の発光体ラインを含む。フロント設置型スピーカ１６を有するエンクロージャ１２において、スピーカの音声の振動は、ある環境下において、スクリーン３２上の画像の色適合度を明らかに歪める、テンションマスク３６の金属ストランド６２にマイクロホニックスの振動を誘発してもよい。
【０００７】
図５乃至７は、スピーカ１６の音声の振動によるテンションマスク３６の図４に示される金属ストランド６２のマイクロホニックスの振動を実質的に減少する、本発明の実施態様を示す。図５に示されるように、ＣＲＴ１４は、内破保護バンド４４の角の近隣に取り付けられた、複数の設置ラグ１４６の手段によってエンクロージャ１２内に固定された。各ラグ１４６は、基部１４８と、直立の取り付け部分を通過するアパーチャ１５２を備える直立の取り付け部分１５０を含む。ラグ１４６の厚さｔは、ＣＲＴ１４のサイズと質量によって決定されるが、一般的に２乃至３．２ｍｍの範囲内である。直立の取り付け部分１５０の幅Ｗは、一般的に２０乃至４０である。基部１４８は、ＣＲＴ１４の角の少なくとも一部分のまわりに延在し、例えば溶接によって内破保護バンド４４に付加される、アーチ型の肩部分１５４を含むかもしれない。バンド４４に取り付ける場合、ラグ１４６における直立の取り付け部分１５０の幅はＣＲＴのＺ軸に沿って整列して、アパーチャ１５２はそれに対して垂直である。図５及び６に示されるように、設置ボルト又はネジ１５６はアパーチャ１５２を通過して配置され、設置ボス５０の側に形成される固定装置１５８内に保持される。第一実施態様において、各ラグ１４６は設置ボス５０の右手側に取り付けられ、この形態は、これより下記において右手形態と呼ぶ。この形態において、上部左と下部右における設置ラグ１４６の直立の取り付け部分１５０はＹ軸に平行であり、一方で上部右と下部左における設置ラグ１４６の直立の取り付け部分１５０はＸ軸に平行である。ラグ１４６の直立の取り付け部分１５０の幅がＣＲＴ１４のＺ軸に沿って整列して、著しく大きいＺ軸の剛さを有するために、スピーカ１６の音声の振動はＺ軸方向のＣＲＴの移動を実質的に引き起こさず、それによってテンションマスク３６のストランド６２をスピーカ１６の音声の振動から分離する。音声の振動からテンションマスク３６の分離をさらに支援するために、第一分離要素１６０は、設置ボルト１５６と設置ラグ１４６の直立の取り付け部分１５０における一の表面との間に配置される。第二分離要素１６２は、直立の取り付け部分１５０の反対の表面とボス５０との間に配置される。分離要素１６０と１６２は、ビニール、熱可塑性ゴム、若しくはウレタンなどの適切な振動又はショックダンピング材から形成される。分離材は、物質の剛さとダンピングの両特性を制御することによってＣＲＴの特別な特性に調整されてよい。かかる物質は、米国、インディアナ州、インディアナポリス所在のＥ−Ａ−Ｒスペシャリティコンポジテから市販されて入手できる。さらに、表示機器が“ネックダウン”配位で落下されるか、又はそうでなければ誤って処理された場合、右手形態で配位されたラグ１４６の直立した取り付け部分１５０は、従来技術の形態における設置ラグよりも曲がり難い。
【０００８】
本発明の第二実施態様は図８と９に示される。かかる実施態様において、第一実施態様に記載されるすべての点に関して同一である、設置ラグ１４６はまた、内破保護バンド４４の角に近接して付加される。各ラグ１４６は図８に示される設置の右手側に取り付けられて、これより以下では左手形態と呼ぶ。かかる形態において、上部右と下部左の設置ラグ１４６における直立の取り付け部分１５０は、Ｙ軸に平行であり、一方で上部左と下部右の設置ラグ１４６における直立の取り付け部分１５０は、Ｘ軸に平行である。ラグ１４６の直立の取り付け部分１５０の幅がＣＲＴ１４のＺ軸に沿って整列し、厚さよりも非常に厚みのある幅を有するために、スピーカ１６の音声の振動は、Ｚ軸方向のＣＲＴの動きを実質的に引き起こさず、それによってテンションマスク３６のストランド６２をスピーカ１６の音声の振動から分離する。さらに、表示機器が“ネックダウン”配位で落下されるか、又はそうでなければ誤って処理された場合、左手形態で配位されたラグ１４６の直立した取り付け部分１５０は、従来技術の形態における設置ラグよりも曲がり難い。ラグ１４６は、アパーチャ１５２を通過して配置されるボルト又はネジ１５６を活用する、第一実施態様に関して記載された手法でボス５０に取り付けられ、ボス５０に形成された固定装置１５８内に固定される。好ましくは、分離要素１６０と１６２はまた、上に記載の手法で活用される。
【０００９】
本発明の第三実施態様は図１０と１１に示される。かかる実施態様において、例えば、設置ラグ２４６は溶接によって、内破保護バンド４４の各角に取り付けられる。図１１に示されるように、各設置ラグ２４６は、基部２４８と、アパーチャ２５１と２５２をそれぞれ備える、２つの直立の取り付け部分２４９と２５０を含む。ラグ２４６の厚さｔは、ＣＲＴ１４のサイズと質量によって決定されるが、しかし典型的には２乃至３．２ｍｍの範囲内である。直立の取り付け部分２４９と２５０の幅Ｗは、一般的には２０乃至４０ｍｍである。基部２４８は、ＣＲＴ１４の角のまわりに延在し、例えば、溶接によって内破保護バンド４４に付加される、アーチ型の肩部分２５４を含む。バンド４４に取り付けられる場合、ラグ２４６の直立の取り付け部分２４９はＣＲＴのＸ軸に平行であり、直立の取り付け部分２４９の幅はＣＲＴのＺ軸に沿って整列されて、一方でアパーチャ２５１は垂直の取り付け部分に対して垂直である。ラグ２４６の直立の取り付け部分２５０はＣＲＴの短軸Ｙに平行であり、直立の取り付け部分２５０の幅はＣＲＴのＺ軸に沿って整列し、一方でアパーチャ２５２は垂直の取り付け部分に対して垂直である。第三実施態様において、各ラグ２４６の直立の取り付け部分２４９と２５０は、アパーチャ２５１と２５２により配置され、ボスに形成される固定装置内に保持される、ボルト又はネジ１５６の手段によって設置ボス５０の反対側に取り付けられる。好ましくは、分離要素１６０と１６２は上に記載のように活用される。ラグ２４６における直立の取り付け部分２４９と２５０の幅がＣＲＴ１４のＺ軸に沿って整列され、厚さよりも著しく広い幅を有するために、スピーカ１６の音声の振動はＺ軸方向のＣＲＴの移動を実質的に引き起こさず、それによってテンションマスク３６のストランド６２をスピーカ１６の音声の振動から分離する。さらに、表示機器が“ネックダウン”配位で落下されるか、又はそうでなければ誤って処理された場合、ボス５０の両側に付加される、ラグ２４６の直立の取り付け部分２４９と２５０は、第一及び第二実施態様のいずれかよりもさらに高い強度を提供する。
【００１０】
本発明の第四実施態様は、図１２と１３に示される。かかる実施態様において、設置ラグ３４６は、各コーナーに隣接する、表面板パネル１８の短い寸法に沿って内破保護バンド４４に取り付けられる。各設置ラグ３４６は、基部３４８と、直立部分を通過するアパーチャ３５２を備える直立部分３５０を含む。ラグ２４６の厚さｔは、ＣＲＴ１４のサイズと質量によって決定されるが、しかし典型的には２乃至３．２ｍｍの範囲内である。直立の取り付け部分３５０の幅Ｗは、一般的には２０乃至４０ｍｍである。ラグ３４６における直立の取り付け部分３５０の幅Ｗは、ＣＲＴのＺ軸に沿って整列しており、アパーチャ３５２は直立の取り付け部分に対して垂直である。第四実施態様において、各ラグ３４６の直立部分３５０が表面板パネル１８のＹ軸に平行であるように、各ラグ３４６は表面板パネル１８である。ラグ３４６は、アパーチャ３５２により配置され、ボス５０に形成された固定装置１５８内に保持されるボルト又はネジ１５６を活用する、第一実施態様に関して記載された手法でボス５０に取り付けられる。好ましくは、分離要素１６０と１６２は、さらに上に記載の手法で活用される。ラグ３４６における直立の取り付け部分３５０の幅がＣＲＴ１４のＺ軸に沿って整列され、厚さよりも著しく広い幅を有するために、スピーカ１６の音声の振動はＺ軸方向のＣＲＴの移動を実質的に引き起こさず、それによってテンションマスク３６のストランド６２を分離する。
【００１１】
図１４と１５に示される、本発明の第五実施態様は、第四実施態様の変形である。かかる実施態様において、第四実施態様に記載されたすべてに関して、同一な設置ラグ３４６はまた、内破保護バンド４４の角に近隣して取り付けられるが、しかし表面板１８の長い寸法に沿う。第五実施態様において、各ラグ３４６は内破保護バンドの長い寸法に取り付けされるために、各ラグ３４６の直立部分３５０は表面板パネル１８のＹ軸に対して平行である。ラグ３４６における直立の取り付け部分３５０の幅がＣＲＴ１４のＺ軸に沿って整列され、厚さよりも著しく広い幅を有するために、スピーカ１６の音声の振動はＺ軸方向のＣＲＴの移動を実質的に引き起こさず、それによってテンションマスク３６のストランド６２を分離する。
【００１２】
本発明の第六実施態様は、図１６乃至１８に示される。第四実施態様と同様のかかる実施態様において、設置ラグ３４６は、各ラグ３４６の直立部分３５０が表面板パネル１８のＹ軸に対して平行であるように各角に隣接する、ＣＲＴ１４の表面板パネルの短い寸法に沿う内破保護バンド４４に取り付けられる。各ラグ３４６は、設置アダプタ３６０の本体を通過して形成される第一アパーチャ３６２により配置されるボルト又はネジ１５６の手段によって、設置アダプタ３６０に取り付けされる。第一アパーチャ３６２に垂直な第二アパーチャ３６４はまた、アダプタ３６０の本体により延在する。示されていないボルト又はネジは、設置アダプタ３６０を各ボス５０のＺ軸に沿って整列された、示されていない固定装置に固定するために活用される。この形態は、ＣＲＴ１４が従来技術が同一である、エンクロージャ１２内に固定される。しかしながら、この実施態様において、設置アダプタ３６０は、金属であるか、又は適切な振動であるか、あるいはビニール、熱可塑性ゴム、若しくはウレタンなどのショックダンピング材から形成されてもよい。設置アダプタ３６０の物質構成は、物質の剛さとダンピングの両特性を制御することによってＣＲＴの特別な特性に調整されてよい。かかる物質は、米国、インディアナ州、インディアナポリス所在のＥ−Ａ−Ｒスペシャリティコンポジテから市販されて入手できる。かかる実施例において、設置アダプタ３６０は、約３０ｍｍの長さｌ、最も広い部分で約３０ｍｍの幅ｗ、及び約１６ｍｍの高さを有する。ダンピング物質のコストの理由で、設置アダプタ３６０の角は切り詰められた。ラグ３４６における直立の取り付け部分３５０の幅がＣＲＴ１４のＺ軸に沿って整列され、厚さよりも著しく広い幅を有するために、スピーカ１６の音声の振動はＺ軸方向のＣＲＴの移動を実質的に引き起こさず、それによってテンションマスク３６のストランド６２をスピーカ１６の音声の振動から分離する。
【００１３】
第六実施態様は、設置ラグ３４６が小さい大きさに沿って内破保護バンド４４に取り付けられることを示す一方で、図１４に示されるようにバンド４４の長い寸法に沿ってラグ３４６を取り付け、次いで、ＣＲＴ１４をボス５０のＺ軸にそって形成される固定装置に固定するために設置アダプタ３６０をバンドに取り付けることは本発明の範囲内である。
【図面の簡単な説明】
【図１】
表示機器の斜視図である。
【図２】
図１の表示機器で使用されるカラーＣＲＴの部分的な軸部分の平面図である。
【図３】
従来のＣＲＴ設置構造を活用する図１の表示機器の背面図である。
【図４】
図３の円形４内に示されるテンションマスクの拡大部分の図である。
【図５】
新規のＣＲＴ設置構造の第一実施態様を活用する表示機器の背面図である。
【図６】
図５の円６を備える新規のＣＲＴ設置構造における一部分の拡大図である。
【図７】
新規のＣＲＴ設置構造の第一実施態様を活用する表示機器における一部分の背面図である。
【図８】
新規のＣＲＴ設置構造の第二実施態様を活用する表示機器の背面図である。
【図９】
新規のＣＲＴ設置構造の第二実施態様を活用する表示機器における一部分の背面図である。
【図１０】
新規のＣＲＴ設置構造の第三実施態様を活用する表示機器における一部分の背面図である。
【図１１】
新規のＣＲＴ設置構造の第三実施態様を活用する表示機器における一部分の背面図である。
【図１２】
新規のＣＲＴ設置構造の第四実施態様を活用する表示機器の背面図である。
【図１３】
新規のＣＲＴ設置構造の第四実施態様を活用する表示機器における一部分の背面図である。
【図１４】
新規のＣＲＴ設置構造の第五実施態様を活用する表示機器の背面図である。
【図１５】
新規のＣＲＴ設置構造の第五実施態様を活用する表示機器における一部分の背面図である。
【図１６】
新規のＣＲＴ設置構造の第六実施態様を活用する表示機器の背面図である。
【図１７】
第六実施態様で活用する設置アダプタの拡大した平面図である。
【図１８】
図１７の線１８に沿った底図である。
【図３】
2004519073.tif 000003
【国際公開パンフレット】
2004519073.tif 000004
2004519073.tif 000005
2004519073.tif 000006
2004519073.tif 000007
2004519073.tif 000008
2004519073.tif 000009
2004519073.tif 000010
2004519073.tif 000011
2004519073.tif 000012
2004519073.tif 000013
2004519073.tif 000014
2004519073.tif 000015
2004519073.tif 000016
2004519073.tif 000017
2004519073.tif 000018
2004519073.tif 000019
2004519073.tif 000020
2004519073.tif 000021
2004519073.tif 000022
2004519073.tif 000023
2004519073.tif 000024
【手続補正書】
【提出日】平成15年3月21日(2003.3.21)
【手続補正１】
【補正対象書類名】明細書
【補正対象項目名】特許請求の範囲
【補正方法】変更
【補正の内容】
【特許請求の範囲】
【請求項１】
周辺の側壁（２８）に延在する見る部分（２６）を含む、実質的に長方形状の表面板パネル（１８）を備える空包（１７）を有する陰極線管（１４）であって、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って少なくとも一つの電子ビームを生じる電子銃（３８）を有し、前記陰極線管は前記見る部分の前記内部表面に近隣するカラー選択電極（３６）を含み、内破保護バンド（４４）は、前記表面板パネルの前記側壁の周囲に延在しており、基部（１４８）と取り付け部分を通過して設置アパーチャ（１５２）を備える前記取り付け部分（１５０）を各々有する複数の設置ラグ（１４６）によって特徴づけられ、少なくとも一つの前記取り付け部分は前記短軸に対して平行であり、少なくとも別のもう一つの前記取り付け部分は前記主軸に対して平行であることを特徴とする、陰極線管（１４）。
【請求項２】
周辺の側壁（２８）に延在する見る部分（２６）を含む、実質的に長方形状の表面板パネル（１８）を備える空包（１７）を有する陰極線管（１４）であって、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って少なくとも一つの電子ビームを生じる電子銃（３８）を有し、前記陰極線管は前記見る部分の前記内部表面に近隣するカラー選択電極（３６）を含み、内破保護バンド（４４）は、前記表面板パネルの前記側壁の周囲に延在しており、基部（１４８）と取り付け部分を通過して設置アパーチャ（１５２）を備える前記取り付け部分（１５０）を各々有する少なくとも４つの設置ラグ（１４６）によって特徴づけられ、前記取り付け部分は厚さよりも広い幅の前記幅と前記厚さを有し、前記取り付け部分の前記幅は前記中心の縦軸に沿って整列しており、前記取り付け部分の少なくとも２つは前記短軸に対して平行であり、前記取り付け部分の少なくとも他の２つは前記主軸に対して平行であることを特徴とする、陰極線管（１４）。
【請求項３】
周辺の側壁（２８）に延在する見る部分（２６）を含む、実質的に長方形状の表面板パネル（１８）を備える空包（１７）を有する陰極線管（１４）であって、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って少なくとも一つの電子ビームを生じる電子銃（３８）を有し、前記陰極線管は前記見る部分の前記内部表面に近隣する、カラー選択電極（３６）を含み、内破保護バンド（４４）は、前記表面板パネルの前記側壁の周囲に延在しており、基部（２４８）と２つの取り付け部分（２４９、２５０）を各々有する複数の設置ラグ（２４６）によって特徴づけられ、前記一つの取り付け部分は前記主軸に対して平行であり、前記もう一つの取り付け部分は前記短軸に対して平行であり、前記取り付け部分の各々は前記取り付け部分を通過する設置アパーチャ（２５１、２５２）を有し、前記複数の設置ラグの各々における前記取り付け部分は、厚さよりも広い幅の前記幅と前記厚さを有し、前記取り付け部分の前記幅は前記中心の縦軸に沿って整列していることを特徴とする、陰極線管（１４）。
【請求項４】
複数の設置ボス（５０）に対するエンクロージャ内に固定される陰極線管（１４）であって、前記陰極線管は、角を有し、周辺の側壁（２８）に延在する見る部分（２６）を含む、実質的に長方形状の表面板パネル（１８）を備える空包（１７）を有し、前記見る部分は該見る部分の内部表面に発光スクリーン（３２）を有し、前記見る部分は２つの直交軸と、前記見る部分の長い寸法に対して平行な主軸と、前記見る部分の短い寸法に対して平行な短軸を含み、前記陰極線管は前記主軸と前記短軸に垂直な中心の縦軸に沿って少なくとも一つの電子ビームを生じる電子銃（３８）を有し、前記陰極線管は前記見る部分の前記内部表面に近隣する、カラー選択電極（３６）を含み、内破保護バンド（４４）は、前記表面板パネルの前記側壁の周囲に延在しており、前記表面板パネルの各前記角に隣接する前記内破保護バンドに対して少なくとも一つの設置ラグを固定するための基部（１４８）と、前記ボスに前記陰極線管を固定するために取り付け部分を通過して設置アパーチャ（１５２）を備える前記取り付け部分（１５０）を有する設置ラグ（１４６）によって特徴づけられ、前記取り付け部分は、厚さよりも広い幅の前記幅と前記厚さを有し、前記取り付け部分の前記幅は前記中心の縦軸に沿って整列しており、前記取り付け部分の少なくとも２つは前記短軸に対して平行であり、前記取り付け部分の少なくとも別の２つは前記主軸に対して平行であることを特徴とする、陰極線管（１４）。
【国際調査報告】
2004519073.tif 000025
2004519073.tif 000026
2004519073.tif 000027